(57)【要約】【課題】  構造を簡略化して、コスト的に有利な構成でなる脱臭装置を提供する。【解決手段】  筐体１に形成された吸込口９と吹出口１０とを結ぶ空気通路に、上流側から第一熱交換器５ａと、臭気成分を吸着する吸着部および臭気成分を分解する分解部からなる触媒３と、第二熱交換器５ｂとを配置し、処理ガス中の臭気成分を前記触媒３の吸着部に吸着させる吸着運転時と、同吸着部に吸着した臭気成分を、前記分解部で分解する分解運転時とで、前記第一熱交換器５ａは冷却機能から加熱機能に、前記第二熱交換器５ｂは加熱機能から冷却機能に夫々切り換えてなる構成にした。【選択図】  図２
2008148832.tif 000002
【特許請求の範囲】
【請求項１】
第一熱交換器および第二熱交換器からなる熱交換器と、臭気成分を吸着する吸着部および臭気成分を分解する分解部からなる脱臭ユニットとを筐体内部に収容した脱臭装置であって、
前記筐体に形成された吸込口と吹出口とを結ぶ空気通路に、上流側から前記第一熱交換器と、前記脱臭ユニットと、前記第二熱交換器とを配置し、処理ガス中の臭気成分を前記吸着部に吸着させる吸着運転時と、同吸着部に吸着した臭気成分を、前記分解部で分解する分解運転時とで、前記第一熱交換器は冷却機能から加熱機能に、前記第二熱交換器は加熱機能から冷却機能に夫々切り換えてなることを特徴とする脱臭装置。
【請求項２】
前記第一熱交換器と、前記脱臭ユニットとの間に吸着材が設けられてなることを特徴とする請求項１に記載の脱臭装置。
【請求項３】
前記吸着材と前記脱臭ユニットとの間に、同脱臭ユニットを加熱する加熱手段が設けられてなることを特徴とする請求項２に記載の脱臭装置。
【発明の詳細な説明】
【技術分野】
【０００１】
本発明は脱臭装置に係わり、より詳細には、脱臭ユニットの上流側および下流側に夫々熱交換器を設置して脱臭性能を向上させるようにした構造に関する。
【背景技術】
【０００２】
従来、処理ガス（流入空気）の湿度が高い場合に脱臭ユニットの吸着能力が低下することが知られていることから、除湿ロータや熱交換器などの除湿手段を設け、同除湿手段の下流側に吸着フィルタおよび紫外線ランプからなる脱臭ユニットを配置した脱臭装置が開示されていた（例えば、特許文献１参照。）。
【０００３】
しかしながら、処理ガス（流入空気）に含まれた臭気成分を分解するための脱臭ユニットは、とくに紫外線ランプを有する構成であることから、構造が複雑化してコスト的に不利になってしまうという問題点を有していた。
【特許文献１】特開２００１−２４６９３１号公報
【発明の開示】
【発明が解決しようとする課題】
【０００４】
そこで、本発明は上述した課題を解決するためになされたものであって、その目的は、構造を簡略化して、コスト的に有利な構成でなる脱臭装置を提供することを目的とする。
【課題を解決するための手段】
【０００５】
上述した目的を達成するため、本発明は以下に示す特徴を備えている。
【０００６】
第一熱交換器および第二熱交換器からなる熱交換器と、臭気成分を吸着する吸着部および臭気成分を分解する分解部からなる脱臭ユニットとを筐体内部に収容した脱臭装置あって、
前記筐体に形成された吸込口と吹出口とを結ぶ空気通路に、上流側から前記第一熱交換器と、前記脱臭ユニットと、前記第二熱交換器とを配置し、処理ガス中の臭気成分を前記吸着部に吸着させる吸着運転時と、同吸着部に吸着した臭気成分を、前記分解部で分解する分解運転時とで、前記第一熱交換器は冷却機能から加熱機能に、前記第二熱交換器は加熱機能から冷却機能に夫々切り換えてなることを特徴としている。
【０００７】
また、前記第一熱交換器と、前記脱臭ユニットとの間に吸着材が設けられてなることを特徴としている。
【０００８】
また、前記吸着材と前記脱臭ユニットとの間に、同脱臭ユニットを加熱する加熱手段が設けられてなることを特徴としている。
【発明の効果】
【０００９】
本発明によれば、紫外線ランプを用いない簡略化した構造であって、コスト的に有利な構成でなる脱臭装置となる。
【発明を実施するための最良の形態】
【００１０】
次に、本発明の実施形態について図面を参照しながら説明する。
【００１１】
図１は本発明による脱臭装置の実施例１を示す説明図で、（Ａ）は一例を示す図、（Ｂ）は他の例を示す図であり、図２は実施例２を示す説明図で、（Ａ）は一例を示す図、（Ｂ）は他の例を示す図であり、図３は実施例３を示す説明図で、（Ａ）は一例を示す図、（Ｂ）は他の例を示す図である。
【００１２】
本発明に係る脱臭装置は、図に示すように、筐体１に備えた吸込口９と吹出口１０とを結ぶ空気通路に、除塵フィルタ２と、臭気成分を吸着する吸着部と臭気成分を分解する分解部とを有する脱臭ユニット３と、送風ファン４とが設けられることにより、前記吸込口９から吸い込まれた処理ガス（流入空気）中の塵埃が前記除塵フィルタ２によって捕捉されるとともに、同除塵フィルタ２では捕捉しきれない極小径の臭気成分が前記脱臭ユニット３の吸着部によって吸着されることにより、塵埃が捕捉され臭気成分が吸着されて綺麗になった処理ガス（流入空気）が前記吹出口１０から被空調室に吹き出されるようになっている。
【００１３】
前記脱臭ユニット３の吸着部は例えばセラミックやゼオライトなどからなり、前記脱臭ユニット３の分解部は例えば吸着部に担持された金属粒子からなる構成になっており、処理ガス（流入空気）および前記脱臭ユニット３が冷却されることによって処理ガス（流入空気）が除湿されるので、臭気成分がより吸着されやすくなるとともに、吸着された臭気成分が吸着部から飛び出しにくくなることから臭気成分を吸着する吸着能力が高められる一方、放出・分解運転時には、処理ガス（流入空気）および前記脱臭ユニット３が加熱されることによって臭気成分を分解する分解能力が高められるようになっている。
【実施例１】
【００１４】
上述した基本構成において、実施例１として図１（Ａ）および図１（Ｂ）に示すように、前記脱臭ユニット３の上流側および下流側には、下部に夫々ドレンパン６を備えた第一熱交換器５ａおよび第二熱交換器５ｂが夫々設けられており、これら第一熱交換器５ａおよび第二熱交換器５ｂは、圧縮機ａおよび冷媒流路を切り換える流路切換弁ｂに接続されることで冷凍サイクルを構成している。
【００１５】
前記ドレンパン６は、前記第一熱交換器５ａおよび前記第二熱交換器５ｂから滴下したドレン水を受けて外部に排出する機能を有しており、前記ドレンパン６に対向させるように、例えば殺菌作用のある波長２５４ｎｍの低圧水銀ランプからなる紫外線灯７を設ける場合は、同ドレンパン６の内部全体を直接紫外線照射することができてドレン水に含まれる微生物が効果的に殺菌されることになる。
【００１６】
実施例１による一例として図１（Ａ）に示すように、処理ガス（流入空気）中の臭い成分を吸着する吸着運転時は、前記脱臭ユニット３の上流側に同脱臭ユニット３に近接して設けられた前記第一熱交換器５ａが蒸発器としての機能を有し、前記脱臭ユニット３の下流側に設けられた前記第二熱交換器５ｂが凝縮器としての機能を有する構成になっている。
【００１７】
これにより、前記第一熱交換器５ａにより冷却された前記脱臭ユニット３は、前記吸込口９から吸い込まれ、前記除塵フィルタ２によって塵埃が捕捉された処理ガス（流入空気）中の臭い成分を吸着する吸着能力が向上し、脱臭された清浄空気は前記第二熱交換器５ｂにより加熱されて適温に上昇したのち前記吹出口１０から被空調室に吹き出される。
【００１８】
また、実施例１による他の例として図１（Ｂ）に示すように、脱臭ユニットの吸着部に吸着させた臭気成分の分解運転時は、前記脱臭ユニット３の上流側に同脱臭ユニット３に近接して設けられた前記第一熱交換器５ａが凝縮器としての機能を有し、前記脱臭ユニット３の下流側に設けられた前記第二熱交換器５ｂが蒸発器としての機能を有する構成になっている。
【００１９】
これにより、前記吸込口９から吸い込まれた処理ガス（流入空気）中に含まれる臭い成分を吸着した前記脱臭ユニット３は、前記第一熱交換器５ａにより加熱されることによって臭い成分の分解が促進されて効率よく再生することになり、前記第二熱交換器５ｂを流通して冷却された空気は前記吹出口１０に送出される。
【００２０】
なお、前記紫外線灯７が前記ドレンパン６に対向するように設けられた場合は、同ドレンパン６内を紫外線照射して殺菌できるようになり、臭いの発生源であるカビ等の繁殖を抑える効果を奏するようになっている。
【実施例２】
【００２１】
また、実施例２として図２（Ａ）および図２（Ｂ）に示すように、前記第一熱交換器５ａの下流側に近接して吸着部８が設けられ、前記第二熱交換器５ｂの上流側に近接して前記脱臭ユニット３が設けられ、同脱臭ユニット３の上流側に加熱手段（ヒータ）１２が設けられている。
【００２２】
前記紫外線灯７が前記ドレンパン６に対向するように設けられた場合は、上述したのと同様に、同ドレンパン６内を紫外線照射して殺菌できるようになり、臭いの発生源であるカビ等の繁殖を抑える効果を奏することになる。
【００２３】
実施例２による一例として図２（Ａ）に示すように、通常運転時は、前記吸着部８の上流側に同吸着部８に近接して設けられた前記第一熱交換器５ａが蒸発器としての機能を有し、前記脱臭ユニット３の下流側に設けられた前記第二熱交換器５ｂが凝縮器としての機能を有する構成になっている。
【００２４】
これにより、前記第一熱交換器５ａにより冷却された前記吸着部８は、前記吸込口９から吸い込まれ、前記除塵フィルタ２によって塵埃が捕捉された処理ガス（流入空気）中の臭い成分を吸着する吸着能力が向上し、前記第二熱交換器５ｂにより加熱されることで分解能力が向上した前記脱臭ユニット３の分解部により臭気成分が分解されたのち、前記吹出口１０から被空調室に吹き出される。
【００２５】
その際、前記脱臭ユニット３の上流側に近接してＯＮ／ＯＦＦされる前記加熱手段１２が設けられたことにより、前記脱臭ユニット３の分解部によって臭気成分が分解された空気は、通電ＯＮにした前記加熱手段１２によって加熱された前記脱臭ユニット３の吸着部に臭気成分が吸着され、または通電ＯＦＦの前記加熱手段１２で加熱されない前記脱臭ユニット３の吸着部に臭気成分が吸着されることなく、前記第二熱交換器５ｂで加熱されて前記吹出口１０に送出される。
【００２６】
また、実施例２による他の例として図２（Ｂ）に示すように、脱臭ユニット再生時は、前記吸着部８の上流側に同吸着部８に近接して設けられた前記第二熱交換器５ｂが凝縮器としての機能を有し、前記脱臭ユニット３の下流側に設けられた前記第一熱交換器５ａが蒸発器としての機能を有する構成になっている。
【００２７】
これにより、前記吸込口９から吸い込まれ、前記除塵フィルタ２によって塵埃が捕捉され、且つ処理ガス（流入空気）中の臭い成分を吸着した前記吸着部８は、前記第二熱交換器５ｂにより加熱されることによって臭い成分が放出されることになり、通電ＯＮにした前記加熱手段１２によって加熱された前記脱臭ユニット３の吸着部に臭気成分が吸着された処理ガス（流入空気）は、前記第一熱交換器５ａを流通して冷却されることによって放出臭気を分解して前記吹出口１０から被空調室に吹き出されることになる。
【実施例３】
【００２８】
また、実施例３として図３（Ａ）および図３（Ｂ）に示すように、筐体１を、空気吸入口９’を一側に備え、他側に空気流通口９’’を備えた第一筐体１ａと、同第一筐体１ａの下部に連設され、同第一筐体１ａに連通する第一連通口１’ａおよび第二連通口１’ｂを備えた第二筐体１ｂと、前記空気吸入口９’または前記第一連通口１’ａの何れか一方を閉じた時に他方を開放する第一支軸部１３ａを有する第一開閉扉１３と、前記空気流通口９’’または前記第二連通口１’ｂの何れか一方を閉じた時に他方を開放する第二支軸部１３ａ’を有する第二開閉扉１３’と、前記第一筐体１ａの他側に前記空気流通口９’’を介して連設され、吸込口１４と吹出口１０とを備えた第三筐体１ｃとで構成してもよい。
【００２９】
実施例３として図３（Ａ）に示すように、前記第一筐体１ａの空気吸入口９’または第一連通口１’ａと、空気流通口９’’または第二連通口１’ｂとを結ぶ空気通路に、前記除塵フィルタ２と、下部に前記ドレンパン６を備えた前記第一熱交換器５ａと、同第一熱交換器５ａに近接する脱臭ユニット３とが設けられ、前記第二筐体１ｂの第一連通口１’ａと第二連通口１’ｂとを結ぶ空気通路に補助送風ファン４’が設けられ、前記第三筐体１ｃの吸込口１４または空気流通口９’’と、吹出口１０とを結ぶ空気通路に、下部に前記ドレンパン６を備えた前記第二熱交換器５ｂと、前記送風ファン４とが設けられている。
【００３０】
これにより、処理ガス（流入空気）中の臭い成分を吸着する吸着運転時は、前記空気吸入口９’および前記空気流通口９’’を開放するとともに、前記送風ファン４の駆動電源をＯＮにする一方、前記補助送風ファン４’の駆動電源をＯＦＦにすることによって、前記第一熱交換器５ａにより冷却された前記脱臭ユニット３は、前記空気吸入口９’から吸い込まれ、前記除塵フィルタ２によって塵埃が捕捉された処理ガス（流入空気）中の臭い成分を吸着する吸着能力が向上し、脱臭された清浄空気は前記空気流通口９’’を流通し、前記第三筐体１ｃの吸込口１４から吸い込まれた処理ガス（流入空気）と混合し、前記第二熱交換器５ｂにより加熱されて適温に上昇したのち前記吹出口１０から被空調室に吹き出される。
【００３１】
また、脱臭ユニットの吸着部に吸着させた臭気成分の分解運転時は、前記第一連通口１’ａおよび前記第二連通口１’ｂを開放して、前記空気吸入口９’および前記空気流通口９’’を閉止するとともに、前記送風ファン４および前記補助送風ファン４’の駆動電源をＯＮにすることにより、前記補助送風ファン４’によって矢印ａのように空気が循環して、前記除塵フィルタ２によって処理ガス（流入空気）中の塵埃が捕捉され、凝縮器としての機能を有する前記第二熱交換器５ｂにより加熱されることで分解能力が向上した前記脱臭ユニット３によって臭気成分が分解されることになり、前記第三筐体１ｃの吸込口１４から吸い込まれた空気は、前記第一熱交換器５ａにより冷却されたのち前記吹出口１０に送出される。
【００３２】
なお、前記送風ファン４の駆動電源をＯＦＦにすることによって、前記第三筐体１ｃの吸込口１４と前記吹出口１０とを結ぶ空気通路での空気の流通がないようにしてもよい。
【図面の簡単な説明】
【００３３】
【図１】本発明による脱臭装置の実施例１を示す説明図で、（Ａ）は一例を示す図であり、（Ｂ）は他の例を示す図である。
【図２】本発明による脱臭装置の実施例２を示す説明図で、（Ａ）は一例を示す図であり、（Ｂ）は他の例を示す図である。
【図３】本発明による脱臭装置の実施例３を示す説明図で、（Ａ）は一例を示す図であり、（Ｂ）は他の例を示す図である。
【符号の説明】
【００３４】
１  筐体
１ａ  第一筐体
１’ａ  第一連通口
１ｂ  第二筐体
１’ｂ  第二連通口
１ｃ  第三筐体
２  除塵フィルタ
３  脱臭ユニット
４  送風ファン
５ａ  第一熱交換器
５ｂ  第二熱交換器
６  ドレンパン
７  紫外線灯
８  吸着部
９  吸込口
９’  空気吸入口
９’’  空気流通口
１０  吹出口
１２  加熱手段（ヒータ）
１３  第一開閉扉
１３’  第二開閉扉
１３ａ  第一支軸部
１３ａ’  第二支軸部
１４  補助送風ファン
【図１】
2008148832.tif 000003
【図２】
2008148832.tif 000004
【図３】
2008148832.tif 000005